(57)【要約】【課題】スロットゲーム中又は景品交換時における遊戯メダルを常時監視して不正行為を防止することができる、パチスロ用遊戯メダルの不正防止システムを得る。【解決手段】各遊戯メダルに店舗固有のＩＤ情報を付与した不正検出手段を有した遊戯メダルを使用し、パチスロ又はメダル計数機のメダル投入口に連通したメダル導入路の途中に設置したＩＤ読み取り装置により遊戯メダルのＩＤ情報を常時読み取り監視し、該パチスロ及びメダル計数機とＬＡＮ接続した端末サーバにより予め通知され登録されているＩＤ情報と比較検出を行い、当該パチスロ又はメダル計数機に未登録のＩＤ情報の遊戯メダルが検出された場合には不正が行われたと判断してカウンターに通知する。不正検出手段を有する遊戯メダルの第一不正検出手段として、ＩＤ情報を有した超小型無線ＩＤタグチップを遊戯メダルに固設し、第二不正検出手段として、ＩＤ情報を有したホログラム印刷板を遊戯メダルに固設する。【選択図】　　　　図１
2004089462.tif 000002
【特許請求の範囲】
【請求項１】
各遊戯メダルに店舗固有のＩＤ情報を付与した不正検出手段を有した遊戯メダルを使用し、パチスロ又はメダル計数機のメダル投入口に連通したメダル導入路の途中に設置したＩＤ読み取り装置により遊戯メダルのＩＤ情報を常時読み取り監視し、該パチスロ及びメダル計数機とＬＡＮ接続した端末サーバにより予め通知され登録されているＩＤ情報と比較検出を行い、当該パチスロ又はメダル計数機に未登録のＩＤ情報の遊戯メダルが検出された場合には偽造メダル又は他店の遊戯メダル使用による不正が行われたと判断してカウンターに通知することにより不正防止を行うことができることを特徴とした、パチスロ用遊戯メダルの不正防止システム。
【請求項２】
不正検出手段を有する遊戯メダルの第一不正検出手段として、遊戯メダルの本体となるセラミック又は合成樹脂板の中央内部に、会社番号，店舗番号及び付加情報を含んだ数十ビットから成るＩＤ情報を有した超小型無線ＩＤタグチップを固設し、更に遊戯メダルの表裏両面にアンテナを貼付したものであることを特徴とした、請求項１に記載のパチスロ用遊戯メダルの不正防止システム。
【請求項３】
不正検出手段を有する遊戯メダルの第二不正検出手段として、遊戯メダルのメダル本体の中央部の孔に、会社番号，店舗番号及び付加情報を含んだ数十ビットから成るＩＤ情報を有したホログラム印刷板を固設し、更に保護樹脂にてホログラム面を保護したものであることを特徴とした、請求項１に記載のパチスロ用遊戯メダルの不正防止システム。
【請求項４】
端末サーバにＣＤ−ＲやＤＶＤ−Ｒ等のＷＯＲＭ型記録媒体によりスロットゲーム中又はメダル計数中のＩＤ信号情報を逐次記録するようにしたことを特徴とした、請求項１に記載のパチスロ用遊戯メダルの不正防止システム。
【請求項５】
付加価値を有したボーナスメダルが検出された場合には付加情報に基づき例えばスロットの絵柄が揃う確率を上昇させたり、景品交換時における換金率を上昇させる処理が行えることを特徴とした、請求項１に記載のパチスロ用遊戯メダルの不正防止システム。
【発明の詳細な説明】
【０００１】
【発明の属する技術分野】
本発明は、パチンコ遊技場等にあるパチスロにおいて、遊戯メダルを常時監視して偽造メダル又は他店の遊戯メダル使用による不正行為を防止することができる、パチスロ用遊戯メダルの不正防止システムに関するものである。
【０００２】
【従来の技術】
従来、パチンコ遊技場等にあるパチスロでスロットゲームを行う場合、店内にある自動販売機又はパチスロ自体にて遊戯メダルを購入し、該遊戯メダルによりスロットゲームを行っている。
【０００３】
該スロットゲーム中においてプレイヤーは予め隠し持った偽造メダル又は他店の遊戯メダルを本来の遊戯メダル中に混入して不正使用したり、景品交換時において偽造メダル又は他店の遊戯メダルを交換メダル中に混入する不正交換が行われることがあったが、巧妙な手口により不正を見つけ出すことは非常に困難であった。
【０００４】
【発明が解決しようとする課題】
これは、遊戯メダル自体の表面デザインは各店異なるものの、大きさや厚さ及び重さは他店と共通であり、パチスロ本体内において厳密なメダル識別機構を内蔵しないため、遊戯メダル又は偽造メダルの大きさや厚さ及び重さが一定基準を満たせば容易に使用できることと、巧妙な手口によりいつ混入されたかが分からないといったことによるものである。このため、スロットゲーム中又は景品交換時において不正メダルの使用を的確に判断できる不正防止システムは実現されていないのが現状である。
【０００５】
本発明は、上記のような課題を解決するために成されたものであり、スロットゲーム中又は景品交換時における遊戯メダルを常時監視して偽造メダル又は他店の遊戯メダル使用による不正行為を防止することができる、パチスロ用遊戯メダルの不正防止システムを提供することを目的とする。
【０００６】
【課題を解決するための手段】
上記課題を解決するため、本発明のパチスロ用遊戯メダルの不正防止システムにおいては、各遊戯メダルに店舗固有のＩＤ情報を付与した不正検出手段を有した遊戯メダルを使用し、パチスロ又はメダル計数機のメダル投入口に連通したメダル導入路の途中に設置したＩＤ読み取り装置により遊戯メダルのＩＤ情報を常時読み取り監視し、該パチスロ及びメダル計数機とＬＡＮ接続した端末サーバにより予め通知され登録されているＩＤ情報と比較検出を行い、当該パチスロ又はメダル計数機に未登録のＩＤ情報の遊戯メダルが検出された場合には偽造メダル又は他店の遊戯メダル使用による不正が行われたと判断してカウンターに通知することにより不正防止を行うことができるシステムとする。
【０００７】
不正検出手段を有する遊戯メダルの第一不正検出手段として、遊戯メダルの本体となるセラミック又は合成樹脂板の中央内部に、会社番号，店舗番号及び付加情報を含んだ数十ビットから成るＩＤ情報を有した超小型無線ＩＤタグチップを固設し、更に遊戯メダルの表裏両面にアンテナを貼付する。
【０００８】
不正検出手段を有する遊戯メダルの第二不正検出手段として、遊戯メダルのメダル本体の中央部の孔に、会社番号，店舗番号及び付加情報を含んだ数十ビットから成るＩＤ情報を有したホログラム印刷板を固設し、更に保護樹脂にてホログラム面を保護する。
【０００９】
【発明の実施の形態及び実施例】
本発明の実施の形態及び実施例を図を用いて説明する。まず、本発明のパチスロ用遊戯メダルの不正防止システムにおいては、各遊戯メダルに店舗固有のＩＤ情報を付与した不正検出手段を有した遊戯メダルを使用するものとする。図１は本発明のパチスロ用遊戯メダルの不正防止システムにおいて使用する不正検出手段を有した遊戯メダルの構成図であり、（ａ）は平面図及びＡ−Ａ断面図、（ｂ）は平面図及びＢ−Ｂ断面図を示している。
【００１０】
図１の（ａ）は不正検出手段を有する遊戯メダルの第一不正検出手段として、遊戯メダル１の本体となるセラミック又は合成樹脂板２の中央内部に、会社番号，店舗番号及び付加情報を含んだ数十ビットから成るＩＤ情報を有した超小型無線ＩＤタグチップ３を固設し、更にセラミック又は合成樹脂板２の表裏両面にアンテナ４を貼付した遊戯メダルを示している。該超小型無線ＩＤタグチップ３は、外形寸法として２ｍｍ×２ｍｍ以下で厚さは数百ミクロン以下のものが好適である。また、アンテナ４は、遊戯メダル１と略同一円盤状の平面アンテナが好適である。
【００１１】
図２は超小型無線ＩＤタグチップの回路ブロック図であり、アンテナ４を中継してＩＤ情報を送受信するためのＲＦ回路９と、受信電波を整流して当該超小型無線ＩＤタグチップ３の直流回路電源Ｖｄｄを生成するための整流回路１０と、前記ＲＦ回路９のアナログ信号と後段の制御回路１２のデジタル信号とをシリアルデータ中継するためのシリアルインターフェース回路１１と、遊戯メダル１の会社番号，店舗番号及び付加情報を含んだ数十ビットから成るＩＤ情報を記憶させるためのメモリ回路１３と、前記シリアルインターフェース回路１１やメモリ回路１３の制御を行うための制御回路１２等にて構成する。
【００１２】
ＩＤ情報として、会社番号を特定するために例えば１６ビットのＩＤ情報からは２１６≒６万５千余りのパチンコ遊戯会社のＩＤを識別でき、店舗番号を特定するために例えば８ビットのＩＤ情報からは２８＝２５６の店舗のＩＤを識別できる。また、パチンコ遊戯会社又は店舗独自の付加価値を有したボーナスメダル例えば当該ボーナスメダルを使用することによりスロットの絵柄が揃う確率が上昇したり、景品交換時における換金率が上昇するといった情報のためのビットも使用できる。なお、前記例で示したビットの数は任意で構わなく、特に限定するものではない。
【００１３】
また、図１の（ｂ）は不正検出手段を有する遊戯メダルの第二不正検出手段として、遊戯メダル１のメダル本体５の中央部の孔６に、会社番号，店舗番号及び付加情報を含んだ数十ビットから成るＩＤ情報を有したホログラム印刷板７を固設し、更に保護樹脂７にてホログラム面を保護した遊戯メダルを示している。該ホログラム印刷板７の形状は円形とし、大きさは約５ｍｍ程度とするのが好適であるが、特に限定するものではない。なお、ＩＤタグのビット数及びビット内容は、前記超小型無線ＩＤタグチップで説明した内容と同等である。
【００１４】
次に、本発明のパチスロ用遊戯メダルの不正防止システムにより不正の常時監視を行う手段を説明する。図３は本発明のパチスロ用遊戯メダルの不正防止システムによりスロットゲームを行う場合の実施系統図であり、図４は本発明のパチスロ用遊戯メダルの不正防止システムによる遊戯メダルのＩＤ情報読み取り機構図である。
【００１５】
図３に示すように、店内にある多数のパチスロ１４及びカウンターにあるメダル計数機１８はＬＡＮ１６経由で端末サーバ１７に接続され、更に端末サーバ１７はＬＡＮ１６経由で上位の管理サーバ（図示せず）に接続されている。また、図４に示すように、パチスロ１４のメダル投入口１５又はメダル計数機１８のメダル投入口（図示せず）に連通したメダル導入路１９の途中にＩＤ読み取り装置２１を設置する。
【００１６】
ここで、スロットゲームを行う場合にはパチスロ１４のメダル投入口１５より遊戯メタル１を投入し、景品交換を行う場合にはメダル計数機１８のメダル投入口（図示せず）より遊戯メダル１を投入することで遊戯メダル１がメダル導入路１９を通過することになる。また、メダル導入路１９の途中には孔２０が配設され、該孔２０の外部にＩＤ読み取り装置２１が設置されているため、メダル導入路１９を遊戯メダル１が通過するごとに当該遊戯メダル１を検知手段にて検知したのち、孔２０を通してＩＤ読み取り装置２１によりＩＤ情報を読み取ることができる。
【００１７】
ＩＤ読み取り装置２１が超小型無線ＩＤタグチップ３を固設した遊戯メダル１に対応したものである場合の読み取り動作として、遊戯メダル１が孔２０を通過するごとにＩＤ読み取り装置２１より読み取り信号を発射すると、該電波をアンテナ４で受信することにより整流回路１０にて直流回路電源Ｖｄｄを生成してアクティブになった超小型無線ＩＤタグチップ３内の制御回路１２がメモリ回路１３よりＩＤ情報を読み出し、シリアルインターフェース回路１１及びＲＦ回路９を経由しアンテナ４からＩＤ信号を発射する。そして、該ＩＤ信号をＩＤ読み取り装置２１が受信することにより読み取りが行われる。
【００１８】
また、ＩＤ読み取り装置２１がホログラム印刷板７を固設した遊戯メダル１に対応したものである場合の読み取り動作として、遊戯メダル１が孔２０を通過するごとにＩＤ読み取り装置２１より読み取り用のレーザー光を発射すると、該レーザー光はホログラム印刷面に進入しホログラムパターンに重畳されたＩＤ信号を含んだレーザー光として反射する。そして、該ＩＤ信号を含んだレーザー光をＩＤ読み取り装置２１が受信することにより読み取りが行われる。
【００１９】
そして、読み取ったＩＤ情報と端末サーバ１７により予め通知され登録されているＩＤ情報と比較検出を行い、当該パチスロ１４又はメダル計数機１８に未登録のＩＤ情報の遊戯メダル１が検出された場合には偽造メダル又は他店の遊戯メダル使用による不正が行われたと判断してカウンターに通知することにより不正防止を行うことができる。また、付加価値を有したボーナスメダルが検出された場合には付加情報に基づき例えばスロットの絵柄が揃う確率を上昇させたり、景品交換時における換金率を上昇させる処理を行う。
【００２０】
また、端末サーバ１７にＣＤ−ＲやＤＶＤ−Ｒ等のＷＯＲＭ（追記）型記録媒体によりスロットゲーム中又はメダル計数中のＩＤ信号情報を逐次記録するようにしておけば、不正又はボーナスメダルの実施証拠として残るため後日のトラブル解決又は営業管理に役立つものである。
【００２１】
【発明の効果】
以上述べたように、本発明のパチスロ用遊戯メダルの不正防止システムによりスロットゲームを行うようにすれば、超小型無線ＩＤタグチップ又はホログラム印刷板を固設した遊戯メダルからＩＤ読み取り装置によりＩＤ情報を常時読み取り監視することができ、該ＩＤ情報と端末サーバにより予め通知され登録されているＩＤ情報との比較を行うことにより、偽造メダル又は他店の遊戯メダルの検出が容易に行うことができる。このため、スロットゲーム中における偽造メダル又は他店の遊戯メダル使用を即時検出して不正防止を行うことができるという絶大なる効果を奏する。また、付加価値を有したボーナスメダルが検出された場合には付加情報に基づき例えばスロットの絵柄が揃う確率を上昇させたり、景品交換時における換金率を上昇させる処理が行えるため、新たなサービスによる集客増が望めるという更なる効果を奏する。
【図面の簡単な説明】
【図１】本発明のパチスロ用遊戯メダルの不正防止システムにおいて使用する不正検出手段を有した遊戯メダルの構成図である。
【図２】超小型無線ＩＤタグチップの回路ブロック図である。
【図３】本発明のパチスロ用遊戯メダルの不正防止システムによりスロットゲームを行う場合の実施系統図である。
【図４】本発明のパチスロ用遊戯メダルの不正防止システムによる遊戯メダルのＩＤ情報読み取り機構図である。
【符号の説明】
１　遊戯メダル
２　セラミック又は合成樹脂板
３　超小型無線ＩＤタグチップ
４　アンテナ
５　メダル本体
６　孔
７　ホログラム印刷板
８　保護樹脂
９　ＲＦ回路
１０　整流回路
１１　シリアルインターフェース回路
１２　制御回路
１３　メモリ回路
１４　パチスロ
１５　メダル投入口
１６　ＬＡＮ
１７　端末サーバ
１８　メダル計数機
１９　メダル導入路
２０　孔
２１　ＩＤ読み取り装置
【図１】
2004089462.tif 000003
【図２】
2004089462.tif 000004
【図３】
2004089462.tif 000005
【図４】
2004089462.tif 000006